【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
電気接点（１２２）の少なくとも一部分に沿って前記電気接点（１２２）の内面（１３６）に形成される少なくとも１つの溝付きチャネル（１５３）を備え、前記少なくとも一部分が長手方向軸に沿って配置されて、ワイヤケーブル（１０）のリード線（１８）を、前記一部分への取り付けのために軸方向で受け入れるように構成され、それにより、取り付けられた前記リード線（１８）が前記少なくとも１つの溝付きチャネル（１５３）の凹状面（１５９）と係合接触する、電気接点であって、前記少なくとも１つの溝付きチャネル（１５３）は、深さを有するとともに、前記深さに沿って延びる少なくとも１つの側壁（１５７）を含み、前記少なくとも１つの側壁（１５７）は、前記電気接点（１２２）の前記内面（１３６）から、前記深さに沿って前記少なくとも１つの側壁（１５７）上に配置される前記内面（１３６）から窪んだ位置へと傾斜して延びる少なくとも１つの領域を含み、前記電気接点は、
前記電気接点（１２２）の前記一部分に沿って前記電気接点（１２２）の前記内面（１３６）に形成されるローレットパターン（１４４）を更に含み、前記電気接点（１２２）の前記一部分は、前記ワイヤケーブル（１０）の前記リード線（１８）を、前記一部分への取り付けのために軸方向で受け入れるように構成され、それにより、前記リード線（１８）が前記ローレットパターン（１４４）と係合接触できるようにし、前記ローレットパターン（１４４）が複数の要素（１５４）を含み、前記複数の要素（１５４）における各要素（１５４）が複数の内側角部を含む形状を有し、対向する内側角部（５６）の第１の対がこれらの角部間に略軸方向の短い間隔を規定し、対向する内側角部（５８）の前記第１の対とは異なる対向する内側角部（５８）の第２の対がこれらの角部間に長い間隔を規定し、前記略軸方向の短い間隔が前記長い間隔よりも短い、電気接点。
【請求項２】
前記ローレットパターン（１４４）は、前記少なくとも１つの溝付きチャネル（１５３）と前記一部分の後縁部（１５０）との間で前記内面（１３６）上に配置される、請求項１に記載の電気接点（１２２）。
【請求項３】
前記少なくとも１つの側壁（１５７）の前記少なくとも１つの領域は、前記凹状面（１５９）から離れて外方へ延びて前記位置から前記内面（１３６）まで配置される傾斜面であり、それにより、前記傾斜面が傾斜角を成して傾けられ、前記傾斜角は、前記位置を通って規定される水平面（１６８）に対するものであり、前記水平面（１６８）が前記内面（１３６）と略平行な関係を有し、前記傾斜角は、鋭角と関連付けられる範囲内の値を有する、請求項１に記載の電気接点（１２２）。
【請求項４】
前記位置が前記凹状面（１５９）に配置される、請求項１に記載の電気接点（１２２）。
【請求項５】
前記少なくとも１つの側壁（１５７）は、前記凹状面（１５９）から離れて外方へ延びて前記凹状面（１５９）に配置される前記位置から前記内面（１３６）まで配置される傾斜面であり、それにより、前記傾斜面が傾斜角を成して傾けられ、前記傾斜角は、前記凹状面（１５９）に沿って規定され且つ前記位置を通って規定される水平面（１６８）に対するものであり、前記水平面（１６８）が前記内面（１３６）と平行な関係を有し、前記傾斜角は、鋭角と関連付けられる範囲内の値を有し、前記鋭角が８４度未満の最大値を有する、請求項４に記載の電気接点（１２２）。
【請求項６】
前記少なくとも１つの溝付きチャネル（１５３）が幅を有し、前記幅が前記長手方向軸と垂直に配置される、請求項１に記載の電気接点（１２２）。
【請求項７】
前記複数の要素（１５４）における各要素（１５４）は、前記内面（１３６）に対して離間された窪んだ関係を有する表面を含む、請求項１に記載の電気接点（１２２）。
【請求項８】
前記複数の要素（１５４）における各要素（１５４）は、菱形形状を成す領域を有する表面を含む、請求項１に記載の電気接点（１２２）。
【請求項９】
前記少なくとも１つの溝付きチャネル（１５３）および前記ローレットパターン（１４４）が二部品ダイポンチ（２８０）に形成される、請求項８に記載の電気接点（１２２）。
【請求項１０】
１つまたは複数の電気接点を含む少なくとも１つのコネクタを備える、電気接続システムであって、前記１つまたは複数の電気接点が１つまたは複数のワイヤケーブルと電気的に接続し、前記１つまたは複数の電気接点は、
前記１つまたは複数の電気接点（１２２）の少なくとも一部分に沿って前記１つまたは複数の電気接点（１２２）の内面（１３６）に形成される少なくとも１つの溝付きチャネル（１５３）を含み、前記少なくとも一部分が長手方向軸に沿って配置されて、ワイヤケーブル（１０）のリード線（１８）を、前記一部分への取り付けのために軸方向で受け入れるように構成され、それにより、取り付けられた前記リード線（１８）が前記少なくとも１つの溝付きチャネル（１５３）の凹状面（１５９）と係合接触し、前記少なくとも１つの溝付きチャネル（１５３）は、深さを有するとともに、前記深さに沿って延びる少なくとも１つの側壁（１５７）を含み、前記少なくとも１つの側壁（１５７）は、前記１つまたは複数の電気接点（１２２）の前記内面（１３６）から、前記深さに沿って前記少なくとも１つの側壁（１５７）上に配置される前記内面（１３６）から窪んだ位置へと傾斜して延びる少なくとも１つの領域を含み、
前記１つまたは複数の電気接点（１２２）は、前記１つまたは複数の電気接点（１２２）の前記少なくとも一部分に沿って前記１つまたは複数の電気接点（１２２）の前記内面（１３６）に形成されるローレットパターン（１４４）を更に含み、前記少なくとも一部分は、前記長手方向軸に沿って配置されて、１つ以上のワイヤケーブル（１０）の前記リード線（１８）を、前記少なくとも一部分への取り付けのために軸方向で受け入れるように構成され、それにより、前記リード線（１８）が前記ローレットパターン（１４４）と係合接触できるようにし、前記ローレットパターン（１４４）が複数の要素（１５４）を含み、前記複数の要素（１５４）における各要素（１５４）が複数の内側角部を含む形状を有し、対向する内側角部（５６）の第１の対がこれらの角部間に略軸方向の短い間隔を規定し、対向する内側角部（５６）の前記第１の対とは異なる対向する内側角部（５８）の第２の対がこれらの角部間に長い間隔を規定し、前記略軸方向の短い間隔が前記長い間隔よりも短い、
電気接続システム。
【請求項１１】
前記少なくとも１つの側壁（１５７）の前記少なくとも１つの領域は、前記凹状面（１５９）から離れて外方へ延びて前記位置から前記内面（１３６）まで配置される傾斜面であり、それにより、前記傾斜面が傾斜角を成して傾けられ、前記傾斜角は、前記位置を通って規定される水平面（１６８）に対するものであり、前記水平面（１６８）が前記内面（１３６）と略平行な関係を有し、前記傾斜角は、鋭角と関連付けられる範囲内の値を有する、請求項１０に記載の電気接続システム。
【請求項１２】
前記位置が前記凹状面（１５９）に配置される、請求項１０に記載の電気接続システム。
【請求項１３】
前記少なくとも１つの側壁（１５７）は、前記凹状面（１５９）から離れて外方へ延びて前記凹状面（１５９）に配置される前記位置から前記内面（１３６）まで配置される傾斜面であり、それにより、前記傾斜面が傾斜角を成して傾けられ、前記傾斜角は、前記凹状面（１５９）に沿って且つ前記位置を通って規定される水平面（１６８）に対するものであり、前記水平面（１６８）が前記内面（１３６）と平行な関係を有し、前記傾斜角は、鋭角と関連付けられる範囲内の値を有し、前記鋭角が８４度未満の最大値を有する、請求項１２に記載の電気接続システム。
【請求項１４】
前記複数の要素（１５４）における各要素（１５４）は、前記内面（１３６）に対して離間された窪んだ関係を有する表面を含む請求項１０に記載の電気接続システム。
【請求項１５】
前記複数の要素（１５４）における各要素（１５４）は、菱形形状を備える表面を含む請求項１０に記載の電気接続システム。
【請求項１６】
前記複数の要素（１５４）における各要素（１５４）の前記菱形形状を備える表面は、前記内面（１３６）に対して離間された窪んだ関係を有する請求項１５に記載の電気接続システム。
【請求項１７】
前記１つまたは複数のワイヤケーブル（１０）と電気的に接続する前記１つまたは複数の電気接点（１２２）が原動機付き車両に配置されるワイヤハーネスと関連付けられる、請求項１０に記載の電気接続システム。